(57)【要約】【課題】複数の表示パネルを配列して構成する画像表示装置において、継目が目立たずに、高精細で高い開口率の画像表示装置を提供することを目的とする。【解決手段】少なくとも第１の表示パネル１０１ａと第２の表示パネル１０１ｂとを配列して画像を表示する画像表示装置１００において、第１の表示パネル１０１ａと第２の表示パネル１０１ｂとは、それぞれ所定間隔である画素ピッチＰで設けられている複数の画素２０３を有し、第１の表示パネル１０１ａと第２の表示パネル１０１ｂとの継目２０３の近傍に、画素２０３からの光を反射させて擬似画素を形成するための反射面２０２ａが形成されている。【選択図】      図２
2005003989.tif 000002
【特許請求の範囲】
【請求項１】
少なくとも第１の表示パネルと第２の表示パネルとを配列して画像を表示する画像表示装置において、
前記第１の表示パネルと前記第２の表示パネルには、それぞれ所定の間隔で複数の画素が形成されており、
前記第１の表示パネルと前記第２の表示パネルとの継目の近傍に、前記画素からの光を反射させて擬似画素を形成するための反射部が形成されていることを特徴とする画像表示装置。
【請求項２】
前記反射部は、前記第１の表示パネルと前記第２の表示パネルに対して、それぞれ所定角度の傾きを呈する反射面を有することを特徴とする請求項１に記載の画像表示装置。
【請求項３】
前記所定角度は略６０度であることを特徴とする請求項２に記載の画像表示装置。
【請求項４】
前記反射面は、前記第１の表示パネルと前記第２の表示パネルの側面を前記所定角度に加工して形成されることを特徴とする請求項２に記載の画像表示装置。
【請求項５】
前記第１の表示パネルと前記第２の表示パネルの側面同士は、前記第１の表示パネルおよび前記第２の表示パネルの屈折率と略等しい光接着剤で接合されることを特徴とする請求項４に記載の画像表示装置。
【請求項６】
前記反射面は、高反射率の薄膜が形成されていることを特徴とする請求項２に記載の画像表示装置。
【請求項７】
前記反射部は、前記継目の近傍に配された光学部品で構成されることを特徴とする請求項１に記載の画像表示装置。
【請求項８】
前記擬似画素は、前記継目の近傍に、前記第１の表示パネルの前記画素と前記第２の表示パネルの前記画素とに対して、前記所定の間隔の位置に形成されることを特徴とする請求項１に記載の画像表示装置。
【請求項９】
前記擬似画素は、前記継目の近傍に、各行または各列毎に１画素分形成され、前記第１の表示パネルの前記画素の光が前記反射部で反射された反射光と、前記第２の表示パネルの前記画素の光が前記反射部で反射された反射光とにより形成されることを特徴とする請求項８に記載の画像表示装置。
【請求項１０】
前記擬似画素は、前記継目の近傍に、各行または各列毎に２画素分形成され、当該２画素分形成される擬似画素は、前記第１の表示パネルの前記画素の光が前記反射部で反射された反射光と、前記第２の表示パネルの前記画素の光が前記反射部で反射された反射光とによりそれぞれ形成されることを特徴とする請求項８に記載の画像表示装置。
【請求項１１】
前記第１の表示パネルと前記第２の表示パネルとは、それぞれ有機または無機のエレクトロルミネッセンスパネルであることを特徴とする請求項１〜請求項１０のいずれか１つに記載の画像表示装置。
【請求項１２】
前記第１の表示パネルと前記第２の表示パネルとは、それぞれ液晶表示パネルであり、
前記液晶表示パネルへ照明光を供給する光源を有し、
前記光源の照明光を散乱させて、前記画素に入射させることを特徴とする請求項１〜請求項１０のいずれか１つに記載の画像表示装置。
【発明の詳細な説明】
【０００１】
【発明の属する技術分野】
本発明は、画像表示装置、特に複数の画像表示パネルを接合して大画面を得る画像表示装置に関する。
【０００２】
【従来の技術】
画像表示装置として、例えば、液晶表示パネルや、有機または無機のエレクトロルミネッセンス（以下、「ＥＬ」という。）などの平面表示パネルが知られている。そして、近年、大画面な画像表示装置に対するニーズが増加している。ここで、液晶表示パネルでは、その生産性、開口率、表示の均一性などの点から大画面で高精細な単一のパネルを製造することは困難である。また、ＥＬ表示パネルでは、機械的な強度の点、及び電極の抵抗の増大に伴って駆動電圧を高める必要がある点等から、大画面の単一のパネルを製造することは困難である。このため、ユニット化された表示パネルを、タイル状に複数配列することが大画面化の有力な方法となる。複数の表示パネルを配列して一つの大画面の画像表示装置を構成する方法がいくつか提案されている（例えば、特許文献１〜４）。
【０００３】
【特許文献１】
特開２００２−３７２９２８号公報
【特許文献２】
特開２００１−９２３８９号公報
【特許文献３】
特開平１０−２０２７０号公報
【特許文献４】
特開平５−１８８８７３号公報
【０００４】
【発明が解決しようとする課題】
複数の表示パネルを配列して接合する場合、接合部近傍に画素が存在しない継目が生ずる。継目の領域は、表示パネルの画素ピッチよりも広い間隔において画素が形成されていない非表示領域である。このため、表示パネル間の継目は、接合された大画面内において、例えば直線状の黒い帯として観察者に認識されてしまう。このため、継目が存在する画像は、その品質が低くなってしまう。
【０００５】
継目を目立なくする方法としては、継目の幅を画素ピッチ以内となるように表示パネルどうしを光学接着剤により精密に接合することが考えられる。このように構成すれば、観察者は、例えば画素間の非表示領域と継目とを識別することがなくなる。しかしながら、高精細化するほど画素ピッチは小さくなる。これに対して、継目領域では、表示パネルを接合するためにある程度の幅が必要となる。このため、継目の幅と画素ピッチとを略一致させる場合、画素ピッチを小さくする高精細化は困難である。
【０００６】
また、表示パネルでは、矩形状の複数の画素が略直交する格子状に配列されている。従って、第１の方向の画素ピッチと、第１の方向に略直交する第２の方向の画素ピッチとの２つの画素ピッチがある。このため、複数の表示パネルを１次元方向（第１の方向）へ配列する場合は、第１の方向の画素ピッチをある程度以上小さくすることは困難である。
【０００７】
さらに、例えば４枚の表示パネルを、２枚ずつ略直交する２次元方向へ配列する場合は、直交する直線状に継目が形成される。このため、第１の方向の画素ピッチと、第２の方向の画素ピッチとの両方の画素ピッチをある程度以上小さくすることは困難である。画素ピッチを小さくできないため、画素の開口部の寸法を大きくできない。このため、複数の表示パネルを配列する画像表示装置の場合、継目を目立なくしようとすると、高精細化が困難で、開口率の低下を生じるため問題である。特に、表示パネルを２次元方向に配列する画像表示装置の場合に、これらの問題は顕著となる。
【０００８】
本発明は、上述の問題点を解決するためになされたものであり、複数の表示パネルを配列して構成する画像表示装置において、継目が目立たずに、高精細で高い開口率の画像表示装置を提供することを目的とする。
【０００９】
【課題を解決するための手段】
上記課題を解決し、目的を達成するために、本発明によれば、少なくとも第１の表示パネルと第２の表示パネルとを配列して画像を表示する画像表示装置において、前記第１の表示パネルと前記第２の表示パネルには、それぞれ所定の間隔で複数の画素が形成されており、前記第１の表示パネルと前記第２の表示パネルとの継目の近傍に、前記画素からの光を反射させて擬似画素を形成するための反射部が形成されていることを特徴とする画像表示装置を提供できる。
【００１０】
画素からの光は、所定の空間的拡がりを持って第１の表示パネル内または第２の表示パネル内を進行する。画素からの光のうち反射部を経由しない光は、そのまま第１の表示パネルまたは第２の表示パネルを射出する。そして、継目の近傍に形成された反射部は、画素からの光の一部を散乱させて射出する。反射部で反射された反射光により擬似的な画素が形成される。観察者は、本画像表示装置を見る場合、継目領域からは散乱部からの散乱光による擬似的な画素を観察することになる。このため、継目の画素が本来存在しない非表示領域からも光を射出できる。この結果、第１の表示パネルと第２の表示パネルとの継目を目立なくすることができる。また、画素ピッチと継目の幅とを略一致させる必要がない。このため、各画素の寸法を大きくすることで高い開口率、及び高精細化できる。また、表示パネルを２次元方向へ接合する場合でも、継目を目立たないようにし、かつ高い開口率と高精細化を達成できる。これにより、容易に画面を大型化することができる。
【００１１】
また、本発明の好ましい態様によれば、前記反射部は、前記第１の表示パネルと前記第２の表示パネルに対して、それぞれ所定角度の傾きを呈する反射面を有することが望ましい。これにより、簡単かつ安価な構成で反射部を構成することができる。
【００１２】
また、本発明の好ましい態様によれば、前記所定角度は略６０度であることが望ましい。これにより、画素と略同一の大きさの擬似画素を形成することができる。
【００１３】
また、本発明の好ましい態様によれば、前記反射面は、前記第１の表示パネルと前記第２の表示パネルの側面を前記所定角度に加工して形成されることが望ましい。これにより、反射用の光学部品を使用することなく、安価な構成で反射部を構成することができる。
【００１４】
また、本発明の好ましい態様によれば、前記第１の表示パネルと前記第２の表示パネルの側面同士は、前記第１の表示パネルおよび前記第２の表示パネルの屈折率と略等しい光学接着剤で接合されることが望ましい。これにより、第１の表示パネルおよび第２の表示パネル内での不要な光の屈折等を防止できる。
【００１５】
また、本発明の好ましい態様によれば、前記反射面は、高反射率の薄膜が形成されていることが望ましい。これにより、反射面での反射効率を向上させることができる。
【００１６】
また、本発明の好ましい態様によれば、前記反射部は、前記継目の近傍に配された光学部品で構成されることが望ましい。これにより、簡単な構成で反射部を構成することができる。
【００１７】
また、本発明の好ましい態様によれば、前記擬似画素は、前記継目の近傍に、前記第１の表示パネルの前記画素と前記第２の表示パネルの前記画素とに対して、前記所定の間隔の位置に形成されることが望ましい。これにより、画素ピッチを隔てた位置に擬似画素を形成できる。
【００１８】
また、本発明の好ましい態様によれば、前記擬似画素は、前記継目の近傍に、各行または各列毎に１画素分形成され、前記第１の表示パネルの前記画素の光が前記反射部で反射された反射光と、前記第２の表示パネルの前記画素の光が前記反射部で反射された反射光とにより形成されることが望ましい。これにより、各行または各列毎に１画素分擬似画素を形成することができる。
【００１９】
また、本発明の好ましい態様によれば、前記擬似画素は、前記継目の近傍に、各行または各列毎に２画素分形成され、当該２画素分形成される擬似画素は、前記第１の表示パネルの前記画素の光が前記反射部で反射された反射光と、前記第２の表示パネルの前記画素の光が前記反射部で反射された反射光とによりそれぞれ形成されることが望ましい。これにより、第１の表示パネルと第２の表示パネルの接合部の寸法を大きくすることができ、第１の表示パネルと第２の表示パネルの接合が容易となり、この結果、製造を簡易化することができる。
【００２０】
また、本発明の好ましい態様によれば、前記第１の表示パネルと前記第２の表示パネルとは、それぞれ有機または無機のエレクトロルミネッセンスパネルであることが望ましい。これにより、複数の有機または無機ＥＬ表示パネルを配列した場合、継目を目立なくすることができる。また、高開口率で、高精細な画像表示装置を得ることができる。
【００２１】
また、本発明の好ましい態様によれば、前記第１の表示パネルと前記第２の表示パネルとは、それぞれ液晶表示パネルであり、前記液晶表示パネルへ照明光を供給する光源を有し、前記光源の照明光を散乱させて、前記画素に入射させることが望ましい。これにより、複数の液晶表示パネルを配列した場合、継目を目立なくすることができる。また、高開口率で、高精細な画像表示装置を得ることができる。
【００２２】
【発明の実施の形態】
以下、添付図面を参照して、本発明にかかる画像表示装置の好適な実施の形態を説明する。
（実施の形態１）
図１は、実施の形態１にかかる画像表示装置１００の概略構成を示す斜視図である。図１に示すように、少なくとも第１の表示パネルと第２の表示パネルとに対応する４枚の平面状の表示パネル１０１ａ、１０１ｂ、１０１ｃ、１０１ｄが、横（行）方向と縦（列）方向（図のｘ、ｙ方向）に２枚ずつ配列されている。
【００２３】
図２は、図１の表示パネル１０１ａと表示パネル１０１ｂとの接合部近傍の断面構成を示す図である。表示パネル１０１ｃと表示パネル１０１ｄの構成は、表示パネル１０１ａと表示パネル１０１ｂと同様であるのでその図示および説明は省略する。表示パネル１０１ａと表示パネル１０１ｂは、それぞれ複数の画素Ｐｘを有する有機のＥＬ（エレクトロルミネッセンス）パネルで構成されている。第１の硝子基板２０１上に所定の間隔である画素ピッチＰで略直交する格子状に形成されている。また、第２の硝子基板２０２上には、画素Ｐｘを封止するように第２の硝子基板２０２が設けられている。表示パネル１０１ａと表示パネル１０１ｂとは、光学的接着剤で接合されている。この光学的接着剤は、表示パネル１０１ａ、１０１ｂを構成する第２の硝子基板２０２の屈折率と略同一の屈折率を有する。表示パネル１０１ａと表示パネル１０１ｂの接合部には、直線上の継目２０３が存在する。第２の硝子基板２０２の継目２０３の近傍には、反射部である反射面２０２ｂが形成されている。反射面２０２ａは、第２の硝子基板２０２の底面に対して所定角度αの傾きを有しており、入射光を全反射させる。この所定角度αは、後述する擬似画素を画素Ｐｘと略同一の大きさにするために略６０度であることが好ましい。
【００２４】
図３は、表示パネル１０１ａと表示パネル１０１ｂの接合方法を説明するための図である。まず、第１の硝子基板２０１と第２の硝子基板２０２を貼り合わせた後（同図（ａ））、第１の硝子基板２０１と第２の硝子基板２０２の側面を断面台形状に同時に切削する（同図（ｂ））。すなわち、第２の硝子基板２０２の側面をその底面に対して斜め（所定角度α）に切削して斜面２０２ａを形成する。また、第１の硝子基板２０１の側面をその底面に対して略直角に切削して垂直面２０１ａを形成する。この斜面２０２ａに鏡面処理を施して反射面を形成する。そして、表示パネル１０１ａと表示パネル１０１ｂの端面２０２ｂ同士を上述の光学的接着剤で接着する（同図（ｃ））。接着の際には光学的接着剤が反射面２０２ａに漏れ出さないように留意する。
【００２５】
図４は、画像表示装置１００を観察する方向から見た画素の構成を示している。上述したように、４枚の表示パネル１０１ａ、１０１ｂ、１０１ｃ、１０１ｄが、横方向と縦方向（図のｘ、ｙ方向）とにそれぞれ２枚ずつ配列されている。そして、継目２０３の近傍には、継目２０３を挟んで隣接する画素Ｐｘからの光が反射面２０２ａ（図２参照）で反射されて、その反射光により虚像である擬似画素Ｐｘｆが形成される。継目２０３が直交する位置（中心）の近傍では、周囲の４つの画素Ｐｘの光が反射面２０３ｄ（図５参照）により反射されて、その反射光により擬似画素Ｐｘｆが形成される。図５は、第１の表示パネル１０１ａの概略構成を示す斜視図である。図５に示すように、第２の硝子基板２０２の反射面２０２ａの角の部分は面取がなされて、三角形状の反射面２０２ｄが形成されている。この反射面２０２ｄは、継目２０３の直交する位置に擬似画素Ｐｘを形成するために設けられている。他の表示パネル１０１ｂ、１０１ｃ、１０１ｄにも同様な反射面２０２ｄが形成されている。
【００２６】
図６は、実施の形態１にかかる画像表示装置１００の擬似画素Ｐｘｆの形成原理を説明するための図である。表示パネル１０１ｂでは、画素Ｐｘからの光Ｌ１、Ｌ２は、所定の空間的広がりを持って表示パネル１０１ａ、１０１ｂ内を進行する。画素Ｐｘからの光のうち反射面２０２ａを経由しない光Ｌ１は、そのまま表示パネル１０１ｂを射出する。そして、継目２０３の近傍に形成された反射面２０２ａは、画素Ｐｘからの光の一部Ｌ２を反射させて画素ピッチＰの位置に擬似的な画素である擬似画素Ｐｘｆを形成する。同様に、表示パネル１０１ａの反射面２０２ａは、画素Ｐｘからの光の一部Ｌ４を反射させて画素ピッチＰの位置に擬似画素Ｐｘｆを形成する。これらの擬似画素Ｐｘｆは、重なった位置に形成され、表示パネル１０１ａの画素Ｐｘと表示パネル１０１ｂの画素Ｐｘとの画像情報により補間された画像情報を有することになる。隣接する画素は、近似した画像情報を有する確率が高いため、精度の良い補間情報を光学的に生成することが可能となる。観察者は、画像表示装置１００を見た場合、継目２０３の領域からは反射部（反射面２０２ａ）による擬似的な画素を観察することになる。このため、継目２０３の画素Ｐｘが本来存在しない非表示領域からも光を射出できる。この結果、表示パネル１０１ａと表示パネル１０１ｂとの継目２０３を目立なくすることができる。同様に、表示パネル１０１ａ〜１０２ｄを２次元方向に並べて接合する場合も継目２０３を目立たなくできる。また、画素ピッチＰと継目２０３近傍の非表示領域の幅とを略一致させる必要がない。このため、各画素Ｐｘの寸法を大きくすることで高い開口率および高精細化が可能となる。
【００２７】
以上説明したように、本実施の形態１によれば、表示パネル１０１ａ〜１０１ｄの継目２０３の近傍に、画素Ｐｘからの光を反射させて擬似画素Ｐｘｆを形成するための反射部（反射面２０２）を設けているので、表示パネル１０１ａ〜１０１ｄを２次元方向へ接合する場合に、継目を目立たないようにし、かつ、高い開口率と高精細化を達成できる。このため、容易に画面を大型化することができる。なお、本実施の形態においては、有機ＥＬパネルの代わりに無機ＥＬパネルを用いても同様の効果を得ることができる。
【００２８】
（実施の形態１の変形例１）
上記実施の形態１の変形例１にかかる画像表示装置を図７に基づいて説明する。図７において、図２と同等機能を有する部位には同一符号を付してある。上記した実施の形態１では、反射部として鏡面処理した反射面２０２ａを使用して入射光を全反射させる構成とした。これに対して、本変形例１では、反射部として、第２の硝子基板２０２の斜面２０２ａにＡｌやＡｇ等の高反射率の薄膜を成膜して反射面２０４を作成する。このように、高反射率の薄膜を使用して反射面２０４を構成することにより、反射面２０４に入射する光の反射効率を向上させることが可能となる。また、光接着剤が反射面２０４に漏れだしても反射に何等の支障が生じないことになる。
【００２９】
（実施の形態１の変形例２）
上記実施の形態１の変形例２にかかる画像表示装置を図８に基づいて説明する。図８において、図２と同等機能を有する部位には同一符号を付してある。本変形例２では、反射部を光学部品である断面台形状の反射ミラー２０６で構成する。このように、反射部を別部品の反射ミラー２０６で構成することにより、反射部を簡単な構成で形成することが可能となる。
【００３０】
（実施の形態１の変形例３）
上記実施の形態１の変形例３にかかる画像表示装置を図９に基づいて説明する。上記した実施の形態１では、継目２０３の近傍に擬似画素Ｐｘｆを各行または各列毎に１画素分形成する構成とする。これに対して、本変形例３では、継目２０３の近傍に擬似画素Ｐｘｆを各行または各列毎に２画素分形成する構成とした。表示パネル１０１ｂの画素Ｐｘからの光Ｌ２と表示パネル１０１ａの画素Ｐｘからの光Ｌ４は、それぞれ反射面２０２ａで反射して、それぞれ擬似画素Ｐｘｆが形成される。このように、継目２０３の近傍に擬似画素Ｐｘｆを各行または各列毎に２画素分形成する構成とすることにより、表示パネル１０１ａと表示パネル１０２ｂの接合部の寸法を大きくすることができ、表示パネル１０１ａと表示パネル１０２ｂの接合が容易となり、この結果、製造を簡易化することが可能となる。
【００３１】
（実施の形態１の変形例４）
上記実施の形態１の変形例４にかかる画像表示装置３００を図１０に基づいて説明する。上記した実施の形態１では、４枚の平面状の表示パネル１０１ａ、１０１ｂ、１０１ｃ、１０１ｄを横方向と縦方向に２枚ずつ配列する構成とした。これに対して、本変形例４では、３枚の平面状の表示パネル３０１ａ、３０１ｂ、３０１ｃを横方向（ｘ方向）に配列する構成とする。継目近傍の断面構成は実施の形態１と同様であるのでその図示および説明を省略する。このように、平面状の表示パネル３０１ａ、３０１ｂ、３０１ｃを横方向に配列することにより、画像表示装置３００の製造を簡易化することが可能となる。
【００３２】
（実施の形態２）
図１１は、本発明の実施の形態２にかかる画像表示装置４００の断面構成（ｘｚ面内）を示す図である。上記実施の形態１では、有機ＥＬパネルを用いて説明している。これに対して、実施の形態４にかかる画像表示装置４００は、液晶表示パネルを用いている点が異なる。実施の形態４においても、上記実施の形態１と同様に表示パネル４０１ａと表示パネル４０１ｂとを光学的接着剤で接合する。第１の硝子基板４０１上には、画素ピッチＰの間隔で略直交する格子状に画素Ｐｘが設けられている。画素Ｐｘは、液晶層から構成されており、後述する光源４０８からの光を画像情報に応じて変調して射出する。
【００３３】
画素Ｐｘ間には、光源４０８からの光を遮光する遮光部４０９が形成されている。また、第１の硝子基板４０１に対向する第２の硝子基板４０２で画素Ｐｘを封止する。第１の硝子基板４０１の底面には凹凸が施された散乱面４０１ａが形成されている。そして、第２の硝子基板４０２の継目４０３の近傍には、反射部である反射面４０２ａが形成されている。また、接合した表示パネル４０１ａ、４０１ｂの光源４０８側の面には、硝子板４０４に固着された第１の偏光膜４０５が設けられている。さらに、接合した表示パネル４０１ａ、４０１ｂの光源４０８とは反対側の面には、硝子板４０６に固着された第２の偏光膜４０７が設けられている。第１の偏光膜４０５と第２の偏光膜４０７とは、いわゆるクロスニコルの状態に設定されている。また、第１の偏光膜４０５側には、バックライト用の光を供給する光源４０８が設けられている。
【００３４】
図１２は、画像表示装置４００の擬似画素Ｐｘｆの形成原理を説明するための図である。表示パネル４０１ｂでは、光源４０８からの光は、第１の偏光膜４０５および硝子板４０４内を進行する。硝子板４０４内を進行して第１の硝子基板４０１に入射した光は、その散乱面４０１ａで散乱して、第１の硝子基板４０１に対して水平に近い角度の光も生成される。ここで、散乱面４０１ａを設けている理由は、第１の硝子基板４０１の中の光は全反射よりも小さな角度の光しか存在しないため、散乱面４０１ａが無いと反射面４０２ａにあたる光量が少なくなるからである。散乱面４０１ａで散乱した散乱光Ｌ１、Ｌ２は、画素Ｐｘで画像情報に応じて変調されて、反射面４０２ａを経由しない光Ｌ１は、第２の偏光板４０７側へ射出する。他方、反射面４０２ａは、画素Ｐｘからの光の一部Ｌ２を反射させて画素ピッチＰの位置に擬似的な画素である擬似画素Ｐｘｆを形成する。同様に、表示パネル４０１ａの反射面４０２ａは、画素Ｐｘからの光の一部Ｌ４を反射させて画素ピッチＰの位置に擬似画素Ｐｘｆを形成する。これらの擬似画素Ｐｘｆは、重なった位置に形成され、表示パネル４０１ａの画素Ｐｘの画像情報と表示パネル４０１ｂの画素Ｐｘの画像情報により補間された画像情報を有することになる。これにより、第２の偏光板４０７の方向から観察した場合、観察者は遮光部４０９に対応した位置に反射光による擬似画素を認識できる。従って、観察者は、継目４０３近傍の遮光部４０９を認識してしまうことを防止できる。
【００３５】
なお、実施の形態２では、光源４０８の光を散乱させるために第１の硝子基板４０１の底面に凹凸が施された散乱面４０１ａを設けることしたが、散乱シート等を用いたり、光源を光学的に接合して散乱光を生成させて、第１の硝子基板４０１の出射面の全反射角以上の角度の光を第１の硝子基板４０１に存在させることにしても良い。また、実施の形態２においても、上述した実施の形態１の変形例１〜４を適用することにしても良い。また、上記実施の形態１、２では、有機または無機のＥＬ表示パネル、および液晶表示パネルの例を用いて説明したが、本発明はこれに限られること無く、複数の平面表示パネルを配列して大型の画面を形成する、いわゆるタイリング型のすべての画像表示装置に対して適用することができる。
【図面の簡単な説明】
【図１】本発明の実施の形態１にかかる画像表示装置の斜視図。
【図２】実施の形態１の概略断面図。
【図３】表示パネルの接合方法を説明するための図。
【図４】実施の形態１を観察方向から見た画素の図。
【図５】表示パネルの概略構成を示す斜視図。
【図６】実施の形態１の擬似画素の形成原理を説明する図。
【図７】実施の形態１の変形例１の概略断面図。
【図８】実施の形態１の変形例２の概略断面図。
【図９】実施の形態１の変形例３の概略断面図。
【図１０】実施の形態１の変形例４の概略断面図。
【図１１】本発明の実施の形態２にかかる画像表示装置の概略断面図。
【図１２】実施の形態２の擬似画素の形成原理を説明する図。
【符号の説明】
１００  画像表示装置、１０１ａ、１０１ｂ、１０１ｃ、１０１ｄ  表示パネル、２０１  第１の硝子基板、２０２  第２の硝子基板、２０２ａ  斜面（反射面）、２０３  継目、２０４  高反射率の薄膜（反射面）、２０６  反射ミラー、４００  画像表示装置、４０１  第１の硝子基板、４０１ａ  散乱面、４０２  第２の硝子基板、４０２ａ  反射面、４０３  継目、４０４  硝子板  ４０５  第１の偏光膜、４０６  硝子板、４０７  第２の偏光膜、４０８  光源  ４０９遮光部
【図１】
2005003989.tif 000003
【図２】
2005003989.tif 000004
【図３】
2005003989.tif 000005
【図４】
2005003989.tif 000006
【図５】
2005003989.tif 000007
【図６】
2005003989.tif 000008
【図７】
2005003989.tif 000009
【図８】
2005003989.tif 000010
【図９】
2005003989.tif 000011
【図１０】
2005003989.tif 000012
【図１１】
2005003989.tif 000013
【図１２】
2005003989.tif 000014